(57)【要約】  雨水貯留浸透施設の知見がない者であっても、短時間に雨水貯留浸透施設のレイアウトを設計することが可能なレイアウト設計方法等を提供する。レイアウト設計装置３０は、雨水貯留浸透施設の基本形状を作成し（Ｓ１０１）、ユニット材を除く構成要素を配置し（Ｓ１０２）、雨水貯留浸透施設の設定情報を入力する（Ｓ１０３）。そして、レイアウト設計装置３０は、作成済の基本形状、配置済の構成要素、入力済の設定情報に基づいて、ユニット材のレイアウト計算を行い、雨水貯留浸透施設の全ての構成要素のレイアウトを計算し（Ｓ１０４）、ＣＡＤファイルを出力する（ステップＳ１０５）。
2012114987.tif 000002
【特許請求の範囲】
【請求項１】
コンピュータを用いて、水平方向の断面に対して所定の高さを有する雨水貯留浸透施設のレイアウトを設計するレイアウト設計方法であって、
前記雨水貯留浸透施設の水平方向の断面である基本形状を作成し、
前記雨水貯留浸透施設の設定情報を入力し、
前記基本形状の内部又は周囲に前記雨水貯留浸透施設の構成要素を配置する際、前記構成要素の配置に関する制約条件を満たすか否か判定し、前記制約条件を満たさない場合には前記構成要素を配置しないように制御し、
前記基本形状、前記設定情報及び配置済の前記構成要素に基づいて、前記雨水貯留浸透施設を構成するために千鳥配置によって嵌合されるユニット材のレイアウトを、予め定められた前記ユニット材の組立手順に従って計算するレイアウト設計方法。
【請求項２】
前記制約条件は、前記雨水貯留浸透施設の点検孔及び堆砂抑制システムを前記基本形状の境界から所定の距離だけ離すこと、及び、前記堆砂抑制システムを前記雨水貯留浸透施設の流入管と対応する位置に配置すること、を含む
ことを特徴とする請求項１に記載のレイアウト設計方法。
【請求項３】
前記ユニット材の種類は、前記基本形状の単位ますと同じ面積であって２本の支柱を有する本体フル、前記基本形状の単位ますの３／４の面積であって２本の支柱を有する第１の本体３／４、前記基本形状の単位ますの３／４の面積であって１本の支柱を有する第２の本体３／４、前記基本形状の単位ますの１／２の面積であって１本の支柱を有する本体ハーフ、前記基本形状の単位ますの１／４の面積であって１本の支柱を有する第１の本体クォータ、前記基本形状の単位ますの１／４の面積であって支柱がない第２の本体クォータ、を含み、
前記設定情報は、前記雨水貯留浸透施設の段数を含み、
前記雨水貯留浸透施設の各段の下部には、前記基本形状の角部に前記第１の本体クォータ又は前記第２の本体クォータ、前記基本形状の端部に前記本体ハーフ、及び、前記基本形状の内部に前記本体フルを配置し、更に、前記雨水貯留浸透施設の各段の上部には、前記本体フルを配置することを前記段数に応じて繰り返すことによって、各段の前記ユニット材のレイアウトを設計し、
前記点検孔又は前記堆砂抑制システムが配置されている場合には、前記点検孔又は前記堆砂抑制システムの周囲８箇所に８個の前記本体フルを配置し、更に、前記点検孔又は前記堆砂抑制システムの周囲４箇所に２個の前記第１の本体３／４及び２個の前記第２の本体３／４を配置することを前記段数に応じて繰り返すことによって、各段の前記点検孔又は前記堆砂抑制システムの周囲のレイアウトを設計する
ことを特徴とする請求項２に記載のレイアウト設計方法。
【請求項４】
前記制約条件は、前記基本形状を前記雨水貯留浸透施設の敷地形状の内部に配置すること、及び、前記基本形状の平面レイアウトを、前記雨水貯留浸透施設の水槽が所定の容量となるようにすること、を含み、
施工可能な前記ユニット材のレイアウトを複数出力する
ことを特徴とする請求項１〜請求項３のいずれかに記載のレイアウト設計方法。
【請求項５】
前記構成要素の単価を示すデータを用いて、前記雨水貯留浸透施設の施工に必要な部材コストを計算し、
さらに、必要に応じて前記ユニット材のレイアウトに必要な部材コストの他、前記雨水貯留浸透施設の施工に必要な施工コストを出力する
ことを特徴とする請求項４に記載のレイアウト設計方法。
【請求項６】
前記雨水貯留浸透施設の水槽に加わる荷重を計算し、
所定の強度を担保できる前記ユニット材を選定し、
選定された前記ユニット材の組合せを出力する
ことを特徴とする請求項４のいずれかに記載のレイアウト設計方法。
【請求項７】
水平方向の断面に対して所定の高さを有する雨水貯留浸透施設のレイアウトを設計するレイアウト設計装置であって、
前記雨水貯留浸透施設の水平方向の断面である基本形状を作成する基本形状作成手段と、
前記雨水貯留浸透施設の設定情報を入力する設定情報入力手段と、
前記基本形状の内部又は周囲に前記雨水貯留浸透施設の構成要素を配置する際、前記構成要素の配置に関する制約条件を満たすか否か判定し、前記制約条件を満たさない場合には前記構成要素を配置しないように制御する構成要素配置制御手段と、
前記基本形状、前記設定情報及び配置済の前記構成要素に基づいて、前記雨水貯留浸透施設を構成するために千鳥配置によって嵌合されるユニット材のレイアウトを、予め定められた前記ユニット材の組立手順に従って計算するレイアウト計算手段と、
前記構成要素の単価を示すデータを用いて、前記雨水貯留浸透施設の施工に必要な部材コストと施工コストの少なくともいずれかを計算するコスト計算手段と、
前記ユニット材のレイアウト、及び前記雨水貯留浸透施設の施工に必要な部材コストと施工コストの少なくともいずれかを出力する出力手段と、
を具備することを特徴とするレイアウト設計装置。
【請求項８】
コンピュータを、請求項７に記載のレイアウト設計装置として機能させるためのプログラム。
【発明の詳細な説明】
【技術分野】
【０００１】
本発明は、雨水貯留浸透施設のレイアウトを設計するレイアウト設計方法等に関するものである。
【背景技術】
【０００２】
従来から、例えば、大きなビルや団地周辺の空き地や自転車置き場の地下等において、降った雨を貯水する貯水施設が種々設けられている。その１つのタイプは、降水を一時的に貯水施設に貯えておいて、少しずつ下水に流したり、周囲に浸透させたりして都市型の洪水を防ぐ目的で設けられているもの（一時貯水型）である。もう一つのタイプは、貯水施設に貯めた雨水を防火水として、あるいは花壇、菜園等の散水用として利用する目的で設けられたもの（貯水型）である。以下では、これらの貯水施設を総称し、雨水貯留浸透施設と呼ぶことにする。【０００３】
本発明者らは、雨水貯留浸透施設に最適な骨格ブロックを既に発明している（特許文献１参照）。特許文献１には、複数の骨格ブロックを組み付けて構成した空間保持骨格ブロック構造体の強度が高く、また、作業者による運搬や組み立て時の作業性に優れた骨格ブロックが記載されている。
【先行技術文献】
【特許文献】
【０００４】
【特許文献１】特許第４５３３９７０号公報
【発明の概要】
【発明が解決しようとする課題】
【０００５】
ところで、このような雨水貯留浸透施設は、建築物の施主が役所等から建築許可を得る際、施主からの依頼によって、建築物の設計を担当する設計会社が設計することが多い。設計会社は、雨水貯留浸透施設についてはあまり知見を持っていないことが多く、雨水貯留浸透施設を短期間に設計することは困難である。【０００６】
本発明は、前述した問題点に鑑みてなされたもので、その目的とすることは、雨水貯留浸透施設の知見がない者であっても、短時間に雨水貯留浸透施設のレイアウトを設計することが可能なレイアウト設計方法等を提供することである。
【課題を解決するための手段】
【０００７】
前述した目的を達成するために第１の発明は、コンピュータを用いて、水平方向の断面に対して所定の高さを有する雨水貯留浸透施設のレイアウトを設計するレイアウト設計方法であって、前記雨水貯留浸透施設の水平方向の断面である基本形状を作成し、前記雨水貯留浸透施設の設定情報を入力し、前記基本形状の内部又は周囲に前記雨水貯留浸透施設の構成要素を配置する際、前記構成要素の配置に関する制約条件を満たすか否か判定し、前記制約条件を満たさない場合には前記構成要素を配置しないように制御し、前記基本形状、前記設定情報及び配置済の前記構成要素に基づいて、前記雨水貯留浸透施設を構成するために千鳥配置によって嵌合されるユニット材のレイアウトを、予め定められた前記ユニット材の組立手順に従って計算するレイアウト設計方法である。第１の発明によって、雨水貯留浸透施設の知見がない者であっても、短時間に雨水貯留浸透施設のレイアウトを設計することができる。特に、設計者が制約条件を知らなくても、施工不可能なレイアウトを設計することを回避できる。また、ユニット材同士をつなぐ継ぎ手が無くても強度が高く、施工効率が良く、かつ空隙率が高い雨水貯留浸透施設のレイアウトを設計することができる。また、土圧等による荷重が分散される雨水貯留浸透施設のレイアウトを設計することができる。また、レイアウトの設計及びコストの計算を一元的に行うことができる。【０００８】
例えば、第１の発明における前記制約条件は、前記雨水貯留浸透施設の点検孔及び堆砂抑制システムを前記基本形状の境界から所定の距離だけ離すこと、及び、前記堆砂抑制システムを前記雨水貯留浸透施設の流入管と対応する位置に配置すること、を含む。これによって、設計者が制約条件を知らなくても、点検孔及び堆砂抑制システムを正しい位置に配置することができる。【０００９】
また、第１の発明における前記ユニット材の種類は、前記基本形状の単位ますと同じ面積であって２本の支柱を有する本体フル、前記基本形状の単位ますの３／４の面積であって２本の支柱を有する第１の本体３／４、前記基本形状の単位ますの３／４の面積であって１本の支柱を有する第２の本体３／４、前記基本形状の単位ますの１／２の面積であって１本の支柱を有する本体ハーフ、前記基本形状の単位ますの１／４の面積であって１本の支柱を有する第１の本体クォータ、前記基本形状の単位ますの１／４の面積であって支柱がない第２の本体クォータ、を含み、前記設定情報は、前記雨水貯留浸透施設の段数を含み、前記雨水貯留浸透施設の各段の下部には、前記基本形状の角部に前記第１の本体クォータ又は前記第２の本体クォータ、前記基本形状の端部に前記本体ハーフ、及び、前記基本形状の内部に前記本体フルを配置し、更に、前記雨水貯留浸透施設の各段の上部には、前記本体フルを配置することを前記段数に応じて繰り返すことによって、各段の前記ユニット材のレイアウトを設計し、前記点検孔又は前記堆砂抑制システムが配置されている場合には、前記点検孔又は前記堆砂抑制システムの周囲８箇所に８個の前記本体フルを配置し、更に、前記点検孔又は前記堆砂抑制システムの周囲４箇所に２個の前記第１の本体３／４及び２個の前記第２の本体３／４を配置することを前記段数に応じて繰り返すことによって、各段の前記点検孔又は前記堆砂抑制システムの周囲のレイアウトを設計する。これによって、点検孔又は前記堆砂抑制システムが配置されている場合も、全てのユニット材の位置を正確に特定し、ユニット材の種類ごとに正確な個数を把握することができる。また、各段のユニット材のレイアウトは、実際に施工を行うときの施工管理、進捗管理の情報として用いることができる。【００１０】
また、第１の発明における前記制約条件は、前記基本形状を前記雨水貯留浸透施設の敷地形状の内部に配置すること、及び、前記基本形状の平面レイアウトを、前記雨水貯留浸透施設の水槽が所定の容量となるようにすること、を含み、施工可能な前記ユニット材のレイアウトを複数出力する。これによって、敷地形状に合わせて所定の容量の水槽を有する雨水貯留浸透施設のレイアウトを設計することができる。【００１１】
また、第１の発明は、前記構成要素の単価を示すデータを用いて、前記雨水貯留浸透施設の施工に必要な部材コストを計算し、さらに、必要に応じて前記ユニット材のレイアウトに必要な部材コストの他、前記雨水貯留浸透施設の施工に必要な施工コストを出力する。また、第１の発明は、前記雨水貯留浸透施設の水槽に加わる荷重を計算し、所定の強度を担保できる前記ユニット材を選定し、選定された前記ユニット材の組合せを出力する。これによって、所定の強度を担保できる雨水貯留浸透施設のレイアウトを設計することができる。ここで、複数のレイアウトからユーザが希望のレイアウトを選択したりすることもできる。たとえば、予め部材コストと施工コストの合計が最小になるものを選択するように初期設定しておけば、最小コストのもののみを出力することが可能である。【００１２】
第２の発明は、水平方向の断面に対して所定の高さを有する雨水貯留浸透施設のレイアウトを設計するレイアウト設計装置であって、前記雨水貯留浸透施設の水平方向の断面である基本形状を作成する基本形状作成手段と、前記雨水貯留浸透施設の設定情報を入力する設定情報入力手段と、前記基本形状の内部又は周囲に前記雨水貯留浸透施設の構成要素を配置する際、前記構成要素の配置に関する制約条件を満たすか否か判定し、前記制約条件を満たさない場合には前記構成要素を配置しないように制御する構成要素配置制御手段と、前記基本形状、前記設定情報及び配置済の前記構成要素に基づいて、前記雨水貯留浸透施設を構成するために千鳥配置によって嵌合されるユニット材のレイアウトを、予め定められた前記ユニット材の組立手順に従って計算するレイアウト計算手段と、前記構成要素の単価を示すデータを用いて、前記雨水貯留浸透施設の施工に必要な部材コストと施工コストの少なくともいずれかを計算するコスト計算手段と、前記ユニット材のレイアウト、及び前記雨水貯留浸透施設の施工に必要な部材コストと施工コストの少なくともいずれかを出力する出力手段と、を具備することを特徴とするレイアウト設計装置である。第２の発明を用いることによって、第１の発明を実現することができる。【００１３】
第３の発明は、コンピュータを、第２の発明のレイアウト設計装置として機能させるためのプログラムである。第３の発明を汎用のコンピュータにインストールすることによって、第２の発明のレイアウト設計装置を得ることができる。また、第３の発明のプログラムは、ネットワークを介して配布したり、記憶媒体に記憶させて配布したりすることもできる。
【発明の効果】
【００１４】
本発明により、雨水貯留浸透施設の知見がない者であっても、短時間に雨水貯留浸透施設のレイアウトを設計することが可能なレイアウト設計方法等を提供することができる。
【図面の簡単な説明】
【００１５】
【図１】雨水貯留浸透施設の一例を示す図
【図２】ユニット材の種類の一例を示す図
【図３】ユニット材の組立の一例を示す図
【図４】レイアウト設計装置のハードウエア構成図
【図５】基本サイズデータの一例を示す図
【図６】構成要素データの一例を示す図
【図７】レイアウト設計方法の処理の流れを示すフローチャート
【図８】図面設計画面の初期表示例を示す図
【図９】基本形状作成後の図面設計画面の一例を示す図
【図１０】設定フォームの一例を示す図
【図１１】図面作成設定フォームの一例を示す図
【図１２】構成要素配置後の図面設計画面の一例を示す図
【図１３】第１のレイアウト計算処理を示すフローチャート
【図１４】角部が内角９０度の場合の１段目の組立手順を説明する図
【図１５】レイアウト結果データの一例を示す図
【図１６】角部が内角９０度の場合の２段目の組立手順を説明する図
【図１７】角部が内角２７０度の場合の１段目の組立手順を説明する図
【図１８】角部が内角２７０度の場合の２段目の組立手順を説明する図
【図１９】第２のレイアウト計算処理の流れを示すフローチャート
【図２０】点検孔の周囲の組立手順を説明する図
【図２１】レイアウト設計装置３０によって出力されるＣＡＤ図面の一例を示す図
【図２２】平面レイアウト設計の一例を示す図
【図２３】構成要素データの一例を示す図
【図２４】水平方向荷重の一例を示す図
【図２５】鉛直方向荷重の一例を示す図
【発明を実施するための形態】
【００１６】
以下図面に基づいて、本発明の実施形態を詳細に説明する。
最初に、図１から図３を参照しながら、本発明の実施形態に係る雨水貯留浸透施設の概要について説明する。
【００１７】
図１は、雨水貯留浸透施設の一例を示す図である。図１（ａ）に示すように、雨水貯留浸透施設１は、地面１２の下に掘穴１１を設けて、雨水を貯留又は浸透させるための水槽１０を有する。水槽１０は、ユニット材２、壁材３、被覆層４、点検孔７、堆砂抑制システム８、パーティション９等から構成される。また、水槽１０には、流入ます５、流出ます６等が連接される。
【００１８】
本発明のレイアウト設計装置が対象とする雨水貯留浸透施設１の構成要素は、ユニット材２、壁材３、被覆層４、流入ます５、流出ます６、点検孔７、堆砂抑制システム８、パーティション９等である。
【００１９】
ユニット材２は、水槽１０を構成する主要部材であり、千鳥配置によって嵌合される。ユニット材２の材質は、例えば、ポリプロピレンである。ユニット材２は軽量であり、容易に持ち運ぶことが出来る。また、ユニット材２の組立には接合部品を必要としない為、施工効率が良い。また、ユニット材２によって組み立てられた水槽１０は、空隙率が高いので、雨水の有効貯留量が多い。また、ユニット材２によって組み立てられた水槽１０は、土圧等による荷重が分散され、強度が高い。
【００２０】
壁材３は、水槽１０の側面に用いられる構成部材である。
被覆層４は、水槽１０の全面（上面、底面、側面）を覆う為のシートである。被覆層４には、遮水シート、透水シート、保護シート等がある。遮水シートは、雨水を貯留するために水槽１０の外面と周辺地盤との間に敷設するシートである。透水シートは、水槽１０と浸透層を隔てる透水性を有したシートである。保護シートは、ユニット材２や埋戻土による遮水シートの破損を防止するシートである。
【００２１】
流入ます５は、雨水を水槽１０に流入させる為の構成部材である。流入ます５は、泥などを水槽１０に流入させないようにする為の「泥だめます」として機能する。
流出ます６は、雨水を水槽１０から流出させる為の構成部材である。流出ます６には、「オリフィスます」、「ポンプます」等がある。「オリフィスます」は、オリフィスを用いて雨水の流出量を調整する。「ポンプます」は、ポンプを用いて雨水の流出量を調整する。
【００２２】
点検孔７は、雨水貯留浸透施設１を構築した後、作業員が水槽１０の内部を点検、清掃する為の人孔である。点検孔７の構成部材には、水槽１０の下面に設置する底板、点検孔７の周囲のユニット材２に挿入する補強芯、水槽１０の上面に設置する天板などがある。
【００２３】
堆砂抑制システム８は、流入ます５を経由して雨水とともに流入してきた砂をパーティション９によって区切られるパーティション９の内部に留めることによって、パーティション９の外側エリア（水槽１０の内部）への砂の拡散、堆積を防止するシステムである。パーティション９の内部に堆積する砂は、作業員が点検孔７から入って吸泥車などを使って除去することができる。
【００２４】
図１（ｂ）は、鉛直上方から見た堆砂抑制システム８の模式図である。堆砂抑制システム８を構成する部材は、パーティション９、補強芯１３、天板１４、ユニット材２の本体３／４等である。ユニット材２の本体３／４は、図２を参照しながら後述するように、本体３／４Ａ２２、本体３／４Ｂ２３がある。補強芯１３は、ユニット材２の支柱内部に挿入される。補強芯１３は、点検孔７を取り囲む８箇所に配置される。
【００２５】
後述するレイアウト設計装置は、雨水貯留浸透施設１の水平方向の断面である基本形状を作成し、基本形状の内部又は周囲に、前述した構成要素の一部（流入ます５、流出ます６、点検孔７、堆砂抑制システム８等）を配置し、雨水貯留浸透施設１の設定情報を入力する。そして、レイアウト設計装置は、作成済の基本形状、配置済の一部の構成要素、及び、入力済の設定情報に基づいて、雨水貯留浸透施設１の全ての構成要素のレイアウト（３次元座標における位置）を計算し、雨水貯留浸透施設１のＣＡＤ（Ｃｏｍｐｕｔｅｒ  Ａｉｄｅｄ  Ｄｄｓｉｇｎ）図面を作成する。
ここで、雨水貯留浸透施設１の基本形状は、正方形のますを最小単位とし（以下、「単位ます」という。）、単位ますを複数並べることによって作成されるものである。
【００２６】
図２は、ユニット材の種類の一例を示す図である。図２に示すように、ユニット材２の種類としては、本体フル２１、本体３／４Ａ２２、本体３／４Ｂ２３、本体ハーフ２４、本体クォータＡ２５、本体クォータＢ２６等がある。
【００２７】
図２（ａ）に示すように、本体フル２１は、雨水貯留浸透施設１の基本形状の単位ますと同じ面積であって２本の支柱を有する。本体フル２１には、突起部分がない「本体フル突起なし」、突起部分がある「本体フル」の２種類がある。「本体フル突起なし」は、水槽１０の最上部と最下部に用いられる。「本体フル」は、水槽１０の中間部に用いられる。以下では、「本体フル突起なし」と「本体フル」を区別せず、本体フル２１と総称する。
【００２８】
図２（ｂ）に示すように、本体３／４Ａ２２は、単位ますの３／４の面積であって２本の支柱を有する。また、図２（ｃ）に示すように、本体３／４Ｂ２３は、単位ますの３／４の面積であって１本の支柱を有する。本体３／４Ａ２２及び本体３／４Ｂ２３は、点検孔７などを構築する為に用いられる。
【００２９】
図２（ｄ）に示すように、本体ハーフ２５は、単位ますの１／２の面積であって１本の支柱を有する。本体ハーフ２５は、水槽１０の端部に用いられる。
【００３０】
図２（ｅ）に示すように、本体クォータＡ２５は、単位ますの１／４の面積であって１本の支柱を有する。また、図２（ｆ）に示すように、本体クォータＢ２６は、単位ますの１／４の面積であって支柱がない。本体クォータＡ２５及び本体クォータＢ２６は、水槽１０の角部に用いられる。
【００３１】
図３は、ユニット材の組立の一例を示す図である。図３に示すように、ユニット材２の組立は、互いに支柱側の面を対向させ、支柱が千鳥配置となるように嵌合される。
図３に示す例では、本体フル２１ａが支柱を上向き、本体フル２１ｂが支柱を下向きとし、互いに支柱側の面を対向させ、それぞれ２本の支柱が千鳥配置となるように嵌合される。
尚、図３に示す例は、分かり易くする為に、２個の本体フル２１だけの組立となっているが、実際のユニット材の組立は、後述する図１４、図１６〜図１８、図２０のように行われる。
【００３２】
以下では、水槽１０の高さを示す用語として「段」を用いる。図３に示す例は、「１段」である。また、図１に示す雨水貯留浸透施設１の水槽１０の高さは、「３段」である。
また、以下では、支柱側の面が上向きのユニット材２を各段の「下部」といい、支柱側の面が下向きのユニット材２を各段の「上部」という。例えば、図３に示す例では、本体フル２１ａが各段の「下部」であり、本体フル２１ｂが各段の「上部」である。
【００３３】
次に、図４〜図２１を参照しながら、本発明のレイアウト設計方法及びレイアウト設計装置について説明する。
【００３４】
図４は、レイアウト設計装置３０のハードウエア構成図である。尚、図１のハードウエア構成は一例であり、用途、目的に応じて様々な構成を採ることが可能である。レイアウト設計装置３０は、制御部３１、記憶部３２、メディア入出力部３３、通信制御部３４、入力部３５、表示部３６、周辺機器Ｉ／Ｆ部３７等が、バス３８を介して接続される。
【００３５】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部３２、ＲＯＭ、記録媒体等に格納されるプログラムをＲＡＭ上のワークメモリ領域に呼び出して実行し、バス３８を介して接続された各装置を駆動制御し、コンピュータが行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００３６】
記憶部３２は、ＨＤＤ（ハードディスクドライブ）であり、制御部３１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。これらの各プログラムコードは、制御部３１により必要に応じて読み出されてＲＡＭに移され、ＣＰＵに読み出されて各種の手段として実行される。
【００３７】
メディア入出力部３３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部３４は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
【００３８】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。表示部３６は、ＣＲＴモニタ、液晶パネル等のディスプレイ装置、ディスプレイ装置と連携してコンピュータのビデオ機能を実現するための論理回路等（ビデオアダプタ等）を有する。
【００３９】
周辺機器Ｉ／Ｆ（インタフェース）部３７は、コンピュータに周辺機器を接続させるためのポートであり、周辺機器Ｉ／Ｆ部３７を介してコンピュータは周辺機器とのデータの送受信を行う。周辺機器Ｉ／Ｆ部３７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。バス３８は、各装置間の制御信号、データ信号等の授受を媒介する経路である。
【００４０】
図５は、基本サイズデータの一例を示す図である。基本サイズデータ４０は、水槽１０の高さ、平面積、容積などを算出する際や、ＣＡＤ図面を作成する際などに用いられる。
基本サイズデータ４０は、例えば、単位ます面積４１、段高さ４２などを含む。単位ます面積４１は、単位ますの面積であり、例えば、「Ａｍｍ×Ａｍｍ」である。段高さ４２は、１段当たりの高さであり、例えば、「Ｈｍｍ」である。具体的な数値の一例としては、Ａｍｍは７２１ｍｍであり、Ｈｍｍは３９１ｍｍである。
【００４１】
図６は、構成要素データの一例を示す図である。構成要素データ５０は、雨水貯留浸透施設１の構成要素のレイアウトを計算する際や、ＣＡＤ図面を作成する際や、水貯留浸透施設１の部材コストを計算する際などに用いられる。
構成要素データ５０は、例えば、構成要素の種類５１、レイアウト上のサイズ５２、単価５３などを含む。例えば、構成要素の種類５１が「本体フル」の構成要素データ５０は、レイアウト上のサイズが「底面積：Ａｍｍ×Ａｍｍ×１倍、高さ：Ｈｍｍ」であり、単価５３が「Ｍ１円」である。
基本サイズデータ４０や構成要素データ５０は、予め記憶部３２に記憶されるものであっても良いし、メディア入出力部３３、通信制御部３４、入力部３５等を介して入力されるものであっても良い。
【００４２】
図７は、レイアウト設計方法の処理の流れを示すフローチャートである。図７に示すように、レイアウト設計装置３０は、最初に、雨水貯留浸透施設１の基本形状を作成する（ステップＳ１０１）。ステップＳ１０１の処理は、図８、図９を参照しながら説明する。
【００４３】
図８は、図面設計画面の初期表示例を示す図である。図９は、基本形状作成後の図面設計画面の一例を示す図である。
レイアウト設計装置３０の制御部３１は、施設現場の施設領域に応じて、図８に示す図面設計画面１００ａを表示部３６に表示する。図８には、格子状に直線が引かれることによって、複数の単位ます１０１の領域が示され、目盛１０２が付けられている。
以下では、図面設計画面を総称するときは符号「１００」を付すことにする。
【００４４】
ユーザは、図８に示す図面設計画面１００ａにおいて、入力部３５（例えば、マウスなど）を用いて、雨水貯留浸透施設１の基本形状を入力する。
レイアウト設計装置３０の制御部３１は、入力部３５からの入力に従い、図９に示す図面設計画面１００ｂにおいて、基本形状領域１０３を表示部３６に表示する。基本形状領域１０３は、単位ます１０１を最小単位とし、複数の線分によって区切られる閉領域である。基本形状領域１０３の周囲には、基本形状サイズ情報１０４が表示される。基本形状サイズ情報１０４は、各線分の長さに対応して、「実寸の長さ＠単位ます１０１の個数」が表示される。図９に示す基本形状領域１０３は、「１８，７２０＠２６」、「５，０４０＠７」、「９，３６０＠１３」、「５，０４０＠７」、「９，３６０＠１３」、「１０，０８０＠１４」の６本の線分によって囲まれた閉領域である。ここで、最小単位としては、単位ますの長さの１／２倍、１倍、２倍等が使用できる。
【００４５】
以下では、基本形状領域１０３の部分領域について、角部、端部、及び、内部の３つに分けて考える。また、角部は、内角が９０度の角部と、内角が２７０度の角部とに分けて考える。図９に示す例では、１０５ａ及び１０５ｂが角部、１０６が端部となる。内部は、角部及び端部を除く領域である。１０５ａは、内角が９０度の角部であり、１０５ｂは、内角が２７０度の角部である。
【００４６】
図７の説明に戻る。レイアウト設計装置３０は、次に、ユニット材を除く構成要素を配置する（ステップＳ１０２）。ステップＳ１０２の処理は、図９〜図１２を参照しながら説明する。
【００４７】
図１０は、設定フォームの一例を示す図である。
設定フォーム１２０は、図８の図面設計画面１００ａと合わせて、別のウィンドウ画面として表示部３６に表示される。
設定フォーム１２０は、単位ます個数１２１、点検孔１２２、堆砂抑制システム１２３、消しゴム１２４、クリアボタン１２５、図面作成ボタン１２６、空隙率１２７、段数１２８、水槽高さ１２９、水槽平面積１３０、水槽容積１３１、有効水深１３２、余裕高１３３、有効貯留量１３４などの画面項目を含む。
【００４８】
単位ます個数１２１は、表示項目である。単位ます個数１２１の表示項目には、図面設計画面１００において作成されている基本形状領域１０３に含まれる単位ます１０１の個数が表示される。
点検孔１２２、堆砂抑制システム１２３は、ラジオボタン及び表示項目である。点検孔１２２、堆砂抑制システム１２３の表示項目には、図面設計画面１００において配置される点検孔、堆砂抑制システムの個数が表示される。図１０に示す例では、単位ます１０１の個数は「２７３」（図９に示す例に対応）、点検孔の個数は「２（後述する図１２に示す例に対応）、堆砂抑制システムの個数は「１」（後述する図１２に示す例に対応）である。
消しゴム１２４は、ラジオボタンである。
点検孔１２２、堆砂抑制システム１２３及び消しゴム１２４のラジオボタンが一組となっており、いずれか一つが選択可能になっている。例えば、点検孔１２２のラジオボタンが選択されると、図面設計画面１００に点検孔が配置可能な状態となり、消しゴム１２４のラジオボタンが選択されると、図面設計画面１００に配置されている構成要素を消去可能な状態となる。
【００４９】
クリアボタン１２５は、設定情報の消去を指示する為のボタンである。クリアボタン１２５が押下されると、図面設計画面１００において配置されている構成要素、設定フォーム１２０や後述する図面作成設定フォーム１４０等において設定されている情報が全て消去される。
図面作成ボタン１２６は、後述する図面作成設定フォーム１４０の表示を指示する為のボタンである。
【００５０】
空隙率１２７は、表示項目である。空隙率１２７の表示項目には、設計中の雨水貯留浸透施設１の空隙率が表示される。
段数１２８は、入力項目である。段数１２８の入力項目では、設計中の雨水貯留浸透施設１の段数の入力を受け付ける。段数１２８の入力項目に数字が入力されると、水槽高さ１２９〜有効貯留量１３４などの項目が再計算される。
水槽高さ１２９、水槽平面積１３０、水槽容積１３１、有効水深１３２、余裕高１３３、有効貯留量１３４は、表示項目である。それぞれの表示項目には、設計中の雨水貯留浸透施設１の水槽の高さ、平面積、容積。有効水深、余裕高、有効貯留量が表示される。
【００５１】
図１１は、図面作成設定フォームの一例を示す図である。
図面作成設定フォーム１４０は、設定フォーム１２０の図面作成ボタン１２６が押下されると、別のウィンドウ画面として表示部３６に表示される。図面作成設定フォーム１４０は、ます種別１４１、ます表示イメージ１４２、シート構成１４３、閉じるボタン１４４、図面出力１４５などの画面項目を含む。
【００５２】
ます種別１４１は、ラジオボタンである。ます種別１４１は、「流入マンホール（泥だめます）」、「流出マンホール（オリフィスます）」、「流出マンホール（ポンプます）」が一組となっており、いずれか一つが選択可能になっている。例えば、流入マンホール（泥だめます）のラジオボタンが選択されると、図面設計画面１００に流入ますが配置可能な状態となる。
ます表示イメージ１４２は、表示項目である。ます表示イメージ１４２には、ます種別１４１に対応させて、図面設計画面１００に配置されるオブジェクト（矢印の図形）が表示される。
シート構成１４３は、ラジオボタンである。シート構成１４３は、「浸透」、「貯留」が一組となっており、いずれか一つが選択可能になっている。例えば、「浸透」のラジオボタンが選択されると、浸透型の雨水貯留浸透施設の図面が作成される。
【００５３】
閉じるボタン１４４は、図面作成設定フォーム１４０を閉じることを指示する為のボタンである。
図面出力ボタン１４５は、ＣＡＤ図面の出力を指示する為のボタンである。図面出力ボタン１４５が押下されると、図面設計画面１００において配置されている構成要素、設定フォーム１２０や後述する図面作成設定フォーム１４０等において設定されている情報に基づいて、構成要素のレイアウト算出処理（図７のステップＳ１０４）、ＣＡＤ図面の作成処理（図７のステップＳ１０５）が開始される。
【００５４】
図１２は、構成要素配置後の図面設計画面の一例を示す図である。
ユーザは、例えば、図面作成設定フォーム１４０において、入力部３５（例えば、マウスなど）を用いて、「流入マンホール（泥だめます）」のラジオボタンを選択し、図面設計画面１００の基本形状領域１０３の周囲（外側の領域であって、例えば、基本形状領域１０３から１個の単位ます分離れた位置）のいずれかの単位ます１０１を指定する。これに応じて、レイアウト設計装置３０の制御部３１は、指定された単位ます１０１に、流入ますを配置する。図１２に示す図面設計画面１００ｃには、１個の流入ます１０７が配置されている。同様の手順により、レイアウト設計装置３０の制御部３１は、流出ますを配置する。図面設計画面１００ｃには、１個の流出ます１０８が配置されている。
【００５５】
また、ユーザは、例えば、設定フォーム１２０において、入力部３５（例えば、マウスなど）を用いて、点検孔１２２のラジオボタンを選択し、図面設計画面１００の基本形状領域１０３に含まれるいずれかの単位ます１０１を指定する。これに応じて、レイアウト設計装置３０の制御部３１は、指定された単位ます１０１に、点検孔を配置する。図１２に示す図面設計画面１００ｃには、２個の点検孔１０９ａ、１０９ｂが配置されている。同様の手順により、レイアウト設計装置３０の制御部３１は、堆砂抑制システムを配置する。図面設計画面１００ｃには、１個の堆砂抑制システム１１０が配置されている。
【００５６】
レイアウト設計装置３０の制御部３１は、構成要素を配置する際、ユーザによる入力部３５からの指示が、予め定められた構成要素の配置に関する制約条件を満たすか否かを判定する。制御部３１は、ユーザによる指示が制約条件を満たしている場合、指示に従って構成要素を配置し、制約条件を満たさない場合、構成要素を配置せず、必要に応じてエラーメッセージなどを表示する。これによって、施工不可能なレイアウトを設計することを回避できる。
【００５７】
構成要素の配置に関する制約条件は、例えば、以下の例が挙げられる。
（１）敷地隣地境界線から基本形状の輪郭をなす線までの距離として、例えば、最低本体フル２個分以上離れた位置に基本形状の輪郭線を設ける。点検孔１２２は、基本形状領域１０３の境界からＴ（例えば、Ｔ＝１、１．５、又は２）個の単位ます分以上離れた位置にしか配置できない。ここで、Ｔは、深さに応じて土圧を計算することにより、最適な値が決定される。例えば、雨水貯留浸透施設１の深さが４．５ｍまでなら、Ｔ＝１．５とする。
（２）堆砂抑制システム１２２は、流入ます１０７と対応する位置にしか配置できない。
（３）千鳥配列とするためのユニット材の配列の制約条件（たとえば、本体フル、本体ハーフ、本体クォータを平面レイアウトに配置する場合の制約条件）を満たすように配置する。具体的な条件は後述する。
【００５８】
（４）その他の制約条件
その他の制約条件として、例えば、基本形状領域１０３の大きさ及び段数に応じて、必要最低限の流出ます１０８の個数などを設定しても良い。これは、基本形状領域１０３の容積に応じて、流出ます１０８から流すことができる流量を大きくしておく必要があるからである。また、基本形状領域１０３の大きさ及び段数に応じて、必要最低限の点検孔１２２の個数などを設定しても良い。これは、基本形状領域１０３の容積に応じて、点検箇所や清掃箇所を増やす必要があるからである。
【００５９】
図７の説明に戻る。レイアウト設計装置３０は、次に、雨水貯留浸透施設１の設定情報を入力する（ステップＳ１０３）。ステップＳ１０３の処理は、図１０、図１１を参照しながら説明する。
【００６０】
ユーザは、設定フォーム１２０において、段数１２８の入力項目に所望の段数を入力し、図面作成設定フォーム１４０において、シート構成１４３のラジオボタンの中から所望のシート構成を選択する。
その他、必要に応じて、その他の構成要素の設定情報として入力可能にしても良い。その他の構成要素の設定情報としては、例えば、流入ますや流出ますのパイプ管の径、基礎の設定（砂、砕石、コンプリートなどの配分）、土被り設定（地面１２から水槽１０までの距離）などが考えられる。
【００６１】
図７の説明に戻る。レイアウト設計装置３０は、次に、図面設計画面１００において作成されている基本形状領域１０３、図面設計画面１００において配置されている構成要素、設定フォーム１２０や後述する図面作成設定フォーム１４０等において設定されている情報に基づいて、ユニット材２のレイアウト計算を行い、雨水貯留浸透施設１の全ての構成要素のレイアウトを計算する（ステップＳ１０４）。ステップＳ１０４の処理は、図１３〜図２０を参照しながら説明する。
【００６２】
以下、３つの場合に分けて、ユニット材２のレイアウト計算処理の詳細を説明する。
（１）角部が内角９０度の場合の組立手順
（２）角部が内角２７０度の場合の組立手順
（３）点検孔の周囲の組立手順
【００６３】
最初に、（１）角部が内角９０度の場合の組立手順について、図１３〜図１６を参照しながら説明する。図１３は、第１のレイアウト計算処理を示すフローチャートである。図１４は、角部が内角９０度の場合の１段目の組立手順を説明する図である。図１５は、レイアウト結果データの一例を示す図である。図１６は、角部が内角９０度の場合の２段目の組立手順を説明する図である。
【００６４】
図１３に示すように、レイアウト設計装置３０の制御部３１は、＜１段目（最下段）の下部＞において、本体クォータＢを角部、本体ハーフを端部、本体フルを内部に設置する（ステップＳ２０１）。特に、＜１段目（最下段）の下部＞には、「本体フル突起なし」を内部に設置する。
次に、制御部３１は、＜１段目（最下段）の上部＞において、全ての単位ますに対して、本体フルを下向きに設置する（ステップＳ２０２）。
【００６５】
図１４（ａ）は、角部に本体クォータＢ２６ａが設置されることを示している。図１４（ｂ）は、端部に本体ハーフ２４ａ〜２４ｄが設置されることを示している。尚、図面上は、構成要素の区切りが分かり易いように、構成要素間に隙間を設けて図示しているが、実際には、本体クォータＢ２６ａ及び本体ハーフ２４ａの間、本体クォータＢ２６ａ及び本体ハーフ２４ｂの間、本体ハーフ２４ａ及び本体ハーフ２４ｃの間、本体ハーフ２４ｂ及び本体ハーフ２４ｄの間が、それぞれ隙間なく設置される。その他の図面においても、図１４（ｂ）と同様に、構成要素間に隙間を設けて図示することにする。図１４（ｃ）は、内部に本体フル２１ｃ〜２１ｆが設置されることを示している。図１４（ｄ）は、全ての単位ますに対して、本体フル２１ｇ〜２１ｊが下向きに設置されることを示している。制御部３１は、支柱が千鳥配置となるように、本体フル２１ｇ〜２１ｊの位置を決定する。
【００６６】
制御部３１は、ステップＳ２０１、ステップＳ２０２等（その他のステップにおいても同様）において設置されるユニット材２のレイアウト結果を記憶部３２に記憶する。図１５には、図１４のように設置されるユニット材２のレイアウト結果が、レイアウト結果データ６０として図示されている。
【００６７】
レイアウト結果データ６０は、構成要素のＩＤ６１、構成要素の種類６２、段番号６３、第１座標６４、第２座標６５、第３座標６６等を含む。
構成要素のＩＤ６１は、構成要素を一意に識別する番号である。構成要素の種類６２は、構成要素の種類に加えて、ユニット材２の種類まで特定可能な情報である。段番号６３は、段の番号に加えて、各段の上部又は下部のいずれかまで特定可能な情報である。
第１座標６４、第２座標６５及び第３座標６６は、構成要素の水平方向の位置（２次元座標における位置）を特定可能な情報である。例えば、第１座標６４が構成要素の左上座標、第２座標６５が構成要素の左下座標、第３座標６６が構成要素の右上座標とすれば、構成要素の水平方向の位置が特定される。
【００６８】
例えば、構成要素のＩＤ６１が「２６ａ」の構成要素は、構成要素の種類６２が「本体クォータＢ」、段番号６３が「１段目下部」、第１座標６４が「Ｘａ１、Ｙａ１」、第２座標６５が「Ｘｂ１、Ｙｂ１」、第３座標６６が「Ｘｃ１、Ｙｃ１」である。尚、図１５に示すレイアウト結果データ６０は一例であり、この例に限定されない。データの持ち方は、適宜変更することが可能である。
【００６９】
図１３の説明に戻る。次に、制御部３１は、ステップＳ１０３において入力される「段数」が２段以上か否か判定する（ステップＳ２０３）。１段の場合（ステップＳ２０３のＮｏ）、制御部３１は、処理を終了する。２段以上の場合（ステップＳ２０３のＹｅｓ）、制御部３１は、ステップＳ２０４に進む。
【００７０】
次に、制御部３１は、次に処理対象となる段が、最上段か否か判定する（ステップＳ２０４）。最上段ではない場合（ステップＳ２０４のＮｏ）、制御部３１は、ステップＳ２０５に進む。最上段の場合（ステップＳ２０４のＹｅｓ）、制御部３１は、ステップＳ２０７に進む。
【００７１】
ステップＳ２０５では、制御部３１は、＜ｉ段目（中間段）の下部＞（ｉは２以上の自然数）において、本体クォータＡ又はＢを角部、本体ハーフを端部、本体フルを内部に設置する。特に、奇数段目には本体クォータＢ、偶数段目には本体クォータＡを設置する。
次に、制御部３１は、＜ｉ段目（中間段）の上部＞において、全ての単位ますに対して、本体フルを下向きに設置し、ステップＳ２０４に戻る（ステップＳ２０６）。
【００７２】
図１６（ａ）は、角部に本体クォータＡ２５ａが設置されることを示している。図１６（ｂ）は、端部に本体ハーフ２４ｅ〜２４ｈが設置されることを示している。図１６（ｃ）は、内部に本体フル２１ｋ〜２１ｎが設置されることを示している。
【００７３】
図１６（ｄ）は、全ての単位ますに対して、本体フル２１ｏ〜２１ｒが下向きに設置されることを示している。制御部３１は、支柱が千鳥配置となるように、本体フル２１ｏ〜２１ｒの位置を決定する。
【００７４】
図１３の説明に戻る。ステップＳ２０７では、制御部３１は、＜最上段の下部＞において、本体クォータＡ又はＢを角部、本体ハーフを端部、本体フルを内部に設置する。特に、奇数段目の場合には本体クォータＢ、偶数段目の場合には本体クォータＡを設置する。
次に、制御部３１は、＜最上段の上部＞において、全ての単位ますに対して、本体フルを下向きに設置し、処理を終了する（ステップＳ２０８）。特に、＜最上段の上部＞には、「本体フル突起なし」を設置する。
角部が内角９０度の場合、レイアウト設計装置３０は、以上のように、ユニット材２のレイアウト計算を行う。
【００７５】
次に、（２）角部が内角２７０度の場合の組立手順について、図１７〜図１８を参照しながら説明する。図１７は、角部が内角２７０度の場合の１段目の組立手順を説明する図である。図１８は、角部が内角２７０度の場合の２段目の組立手順を説明する図である。
【００７６】
基本的な処理の流れは、（１）角部が内角９０度の場合の組立手順と同様であり、図１３に示すフローチャートに従って処理を行う。但し、（１）の場合と比較し、角部に配置される本体クォータＡ２５又は本体クォータＢ２６の数が異なる。
【００７７】
１段目の組立手順について説明する。
図１７（ａ）に示すように、下部の角部に、１個の本体クォータＢ２６ｂ、２個の本体クォータＡ２５ｂ、２５ｃが設置される。次に、図１７（ｂ）に示すように、下部の端部に、本体ハーフ２４ｉ、２４ｊが設置される。次に、図１７（ｃ）に示すように、下部の内部に、本体フル２１ｓ〜２１ｗが設置される。次に、図１７（ｄ）に示すように、上部の全ての単位ますに、本体フル２１ｘ〜２１ａｅが下向きに設置される。
【００７８】
２段目の組立手順について説明する。
図１８（ａ）に示すように、下部の角部に、１個の本体クォータＡ２５ｄ、２個の本体クォータＢ２５ｃ、２５ｄが設置される。次に、図１８（ｂ）に示すように、下部の端部に、本体ハーフ２４ｋ、２４ｌが設置される。次に、図１８（ｃ）に示すように、下部の内部に、本体フル２１ａｆ〜２１ａｊが設置される。次に、図１８（ｄ）に示すように、上部の全ての単位ますに、本体フル２１ａｋ〜２１ａｒが下向きに設置される。
角部が内角２７０度の場合、レイアウト設計装置３０は、以上のように、ユニット材２のレイアウト計算を行う。
【００７９】
次に、（３）点検孔の周囲の組立手順について、図１９〜図２０を参照しながら説明する。尚、堆砂抑制システムについても同様の組立手順となる。図１９は第２のレイアウト計算処理の流れを示すフローチャートである。図２０は、点検孔の周囲の組立手順を説明する図である。
【００８０】
図１９に示すように、レイアウト設計装置３０の制御部３１は、＜ｉ段目の下部＞（ｉは自然数）において、点検孔の周囲８箇所に８個の本体フルを設置する（ステップＳ３０１）。
次に、制御部３１は、＜ｉ段目の上部＞において、点検孔の周囲４箇所に、２個の本体３／４Ａと２個の本体３／４Ｂを設置する（ステップＳ３０２）。
次に、制御部３１は、現在が最上段か否か判定し（ステップＳ３０３）、最上段でない場合（ステップＳ３０３のＮｏ）、Ｓ３０１から繰り返し、最上段の場合（ステップＳ３０３のＹｅｓ）、処理を終了する。
【００８１】
図２０（ａ）は、各段の上部において、点検孔７の周囲８箇所に、本体フル２１ｂａ〜２１ｂｈが設置されることを示している。図２０（ｂ）は、各段の下部において、点検孔７の周囲４箇所に、本体３／４Ａ２２ａ、２２ｂ、及び、本体３／４Ｂ２３ａ、２３ｂが設置されることを示している。
点検孔がある場合、レイアウト設計装置３０は、以上のように、ユニット材２のレイアウト計算を行う。
【００８２】
前述した（１）角部が内角９０度の場合の組立手順、（２）角部が内角２７０度の場合の組立手順、及び、（３）点検孔の周囲の組立手順は、互いに矛盾なく成立する。レイアウト設計装置３０は、角部の内角の大きさや、点検孔の有無に応じて、それぞれの組立手順に従い、ユニット材２のレイアウト計算を行う。
【００８３】
図７の説明に戻る。レイアウト設計装置３０の制御部３１は、次に、ステップＳ１０４におけるレイアウト計算結果に基づいて、ＣＡＤ図面を作成し、ＣＡＤファイルを出力する（ステップＳ１０５）。
【００８４】
内部処理としては、制御部３１は、ステップＳ１０４におけるレイアウト計算結果を一時ファイルに出力する。制御部３１は、各構成要素の位置を示すデータ（例えば、図１５に示すレイアウト結果データ６０）、構成要素の種類ごとの個数を示すデータなどを一時ファイルに出力する。一時ファイルには、雨水貯留浸透施設１の施工に必要な部材が全て拾い出されている。
制御部３１は、公知の技術によって、一時ファイルのデータを、ＣＡＤファイル（例えば、ｄｘｆファイルなど）に変換する。ＣＡＤファイルには、各段のユニット材２のレイアウトが含まれる。各段のユニット材２のレイアウトは、実際に施工を行うときの施工管理、進捗管理の情報として用いることができる。
また、制御部３１は、例えば、構成要素の単価を示すデータ（例えば、図６に示す構成要素データ５０）を用いて、雨水貯留浸透施設１の施工に必要な部材コストの計算を行う。
【００８５】
図２１は、レイアウト設計装置３０によって出力されるＣＡＤ図面の一例を示す図である。図２１に示すように、本発明のレイアウト設計装置３０を用いれば、簡単な操作によって、施工時に必要なレイアウトを設計することが可能となる。すなわち、本発明によれば、雨水貯留浸透施設の知見がない者であっても、短時間に雨水貯留浸透施設のレイアウトを設計することが可能である。
前述の説明では、千鳥配置によって嵌合されるユニット材のレイアウト計算を行うものとしたが、本発明のレイアウト設計装置３０は、その他のユニット材のレイアウト計算も行うことができる。例えば、各段の上部のユニット材及び下部のユニット材が１対１に上下対向するような場合にも適用可能である。この場合、レイアウト設計装置３０は、単に、１個の単位ますに対して、単位ますと同じ面積を有するユニット材を１個ずつ配置していくことになる。尚、このようなユニット材の場合、ユニット材同士をつなぐ継ぎ手が必要となる。このような配置は、対向配置と呼ばれる。一般には、土圧やせん断応力の問題から、対向配置を用いることは少ない。但し、土圧が少ない環境で、底が浅い水槽１０の場合、対向配置を用いることもある。対向配置の場合、本体フル２１のユニット材のみで雨水貯留浸透施設１を形成することができる。対向配置の場合、図１７の内容と異なり、下側の本体フル２１のユニット材と本体フル２１の上側のユニット材とが１対１に対向するように配置することができる。もちろん、平面レイアウトの形状によっては、例えば１辺だけに本体ハーフ２４を配置するなど、本体フル２１以外のユニット材を用いても良い。
【００８６】
＜変形例１＞
次に、図２２を参照しながら、本発明の実施形態の変形例１について説明する。雨水貯留浸透施設１のレイアウト設計では、土圧等の荷重によって生じる水平方向のせん断応力に対して、雨水貯留浸透施設１の強度を担保するために、本体フル２１、本体ハーフ２４、本体クォータＡ２５及び本体クォータＢ２６を組み合わせて、千鳥配置の構造体を構築する。この際、敷地形状に合わせて所定の容量の水槽１０を設計するために、様々な基本形状領域１０３の平面レイアウトが考えられる。
【００８７】
そこで、変形例１では、レイアウト設計装置３０は、敷地形状及び所定の容量を制約条件に加えて、施工可能な基本形状領域１０３の平面レイアウトを複数出力する。出力データには、構成要素（本体フル２１、本体ハーフ２４、本体クォータＡ２５及び本体クォータＢ２６等）のレイアウトの他、構成要素ごとの必要個数も含まれる。尚、図１に示す堆砂抑制システム８や点検孔７の数、流入管１５の位置などは、予め入力しておく。
【００８８】
図２２は、平面レイアウト設計の一例を示す図である。変形例１におけるレイアウト設計装置３０は、以下の制約条件を満たすように、平面レイアウト７１の設計を行う。
・点検孔７及び堆砂抑制システム８は、平面レイアウト７１（基本形状領域１０３）の境界からＴ（Ｔ＝１、１．５、又は２）個の単位ます分以上離れた位置に配置する。
・堆砂抑制システム８は、流入管１５と対応する位置に配置する。
・平面レイアウト７１（基本形状領域１０３）は、敷地形状７０の内部に配置する。
・平面レイアウト７１は、水槽１０が所定の容量となるように設計する。
・平面レイアウト７１（基本形状領域１０３）の角部には、本体クォータＡ２５又は本体クォータＢ２６を配置する。
・平面レイアウト７１（基本形状領域１０３）の端部には、本体ハーフ２４を配置する。
・平面レイアウト７１（基本形状領域１０３）の内部には、本体フル２１を配置する。
【００８９】
以下に説明する例では、図２２に示すように、敷地形状７０は矩形である。また、水槽１０の所定の容量は、深さを一定とし、平面レイアウト７１の面積が単位ます（＝本体ハーフ２４と同じ面積）の３６００個分とする。
【００９０】
本体ハーフ２４の３６００個分の平面レイアウト７１は、例えば、縦１個×横３６００個、縦２個×横１８００個、・・・、縦４０個×横９０個、・・・、縦６０個×横６０個、・・・、横９０個×縦４０個、・・・、縦１８００個×横２個、縦３６００個×横１個、等が考えられる。レイアウト設計装置３０は、この中で上記の制約条件を全て満たす平面レイアウトを複数出力する。ここでは、上記の制約条件を全て満たすものは、図２２（ａ）に示す縦６０個×横６０個の平面レイアウト７１ａ、及び図２２（ｂ）に示す縦４０個×横９０個の平面レイアウト７１ｂとする。
【００９１】
平面レイアウト７１ａにおける本体ハーフ２４の必要個数は、６０個＋６０個＋６０個＋６０個＝２４０個である。一方、平面レイアウト７１ｂにおける本体ハーフ２４の必要個数は、４０個＋９０個＋４０個＋９０個＝２６０個である。このように、両者は本体ハーフ２４の必要個数が異なる。ひいては、雨水貯留浸透施設１の施工に必要な部材コストも異なる。例えば、本体ハーフ２４が本体フル２１よりも高い場合、本体ハーフ２４が少ない平面レイアウト７１ａの方が部材コストの合計を抑えることができる。
【００９２】
前述の説明では、敷地形状７０を矩形としたが、本発明はこの例に限らず、Ｌ字型の敷地形状７０にも適用することができる。
【００９３】
また、前述の説明では、制約条件を満たす複数の平面レイアウト７１と構成要素の必要個数を出力するものとしたが、本発明はこの例に限らない。例えば、複数の平面レイアウト７１に対して、それぞれ部材コスト計算を行い、部材コストが安い順に複数の平面レイアウト７１を出力したり、部材コストが最も安い平面レイアウト７１のみを出力したりしても良い。
【００９４】
また、制約条件には以下を含めても良い。
・敷地形状７０の境界から平面レイアウト７１の境界までの距離は、少なくとも所定の距離（例えば、２〜３ｍ）以上とする。
・敷地に隣接して、土手や建築物が存在する場合には、それらによって土圧が増加することを考慮し、敷地形状７０の境界から平面レイアウト７１の境界までの距離は、更に土圧の影響を考慮した距離とする。
【００９５】
＜変形例２＞
次に、図２３〜図２５を参照しながら、本発明の実施形態の変形例２について説明する。雨水貯留浸透施設１のレイアウト設計では、雨水貯留浸透施設１の強度を担保するために、以下に例示する水槽１０に加わる荷重を考慮して、千鳥配置の構造体を構築する。
・土被り：鉛直方向死荷重。鉛直方向長期荷重に対する照査。
・水槽底面深さ：水平土圧。水平方向短期荷重及び長期荷重に対する照査。
・水槽上部の車両荷重規格：鉛直方向活荷重。鉛直方向短期荷重に対する照査。
【００９６】
そこで、変形例２では、レイアウト設計装置３０は、「土被り」、「水槽底面深さ」、「水槽形状（平面大きさ）」、「水槽上部の車両荷重規格」等の条件が入力されると、水槽１０に加わる荷重を計算し、所定の強度を担保できる構成要素（特に、ユニット材）を選定し、その組合せを出力する。ここで、変形例２では、本体フル２１、本体ハーフ２４、本体クォータＡ２５及び本体クォータＢ２６等のユニット材は、それぞれ、水平方向強度及び鉛直方向強度が異なる複数の種類が存在するものとする。尚、制約条件を満たすように平面レイアウトを設計することは、変形例１と同様である。
【００９７】
図２３は、構成要素データの一例を示す図である。構成要素データ８０は、例えば、構成要素の種類８１、強度区分８２、強度８３、単価８４等を含む。強度区分８２は、構成要素の種類８１が同一のユニット材の中で、水平強度及び／又は鉛直強度が異なるものを区別するための項目である。例えば、構成要素の種類８１が「本体フル」かつ強度区分８２が「Ａ」のユニット材は、強度８３が「水平方向耐荷重α（ｋＮ／ｍ２）、垂直方向耐荷重β（ｋＮ／ｍ２）」、単価８４が「Ｍ２１円」である。また、例えば、構成要素の種類８１が「本体フル」かつ強度区分８２が「Ｂ」のユニット材は、強度８３が「水平方向耐荷重α＋γ（ｋＮ／ｍ２）、垂直方向耐荷重β（ｋＮ／ｍ２）」、単価８４が「Ｍ２２円」である。また、例えば、構成要素の種類８１が「本体フル」かつ強度区分８２が「Ｃ」のユニット材は、強度８３が「水平方向耐荷重α（ｋＮ／ｍ２）、垂直方向耐荷重β＋δ（ｋＮ／ｍ２）」、単価８４が「Ｍ２３円」である。
【００９８】
尚、ユニット材の強度を増加させるためには、例えば、特開２０１１−１４９２６９のように、ユニット材の支柱等の形状や材質等を変えたり、特開２０１１−１０５１０１のように、補強板等の補強部材を組み合わせたりすることが考えられる。
【００９９】
図２４は、水平方向荷重の一例を示す図である。図２４に示す例では、説明を分かり易くする為に、ユニット材の数を少なくしている。具体的には、平面レイアウト７１ｃは、本体フル２１が縦３個×横８個＝２４個、本体ハーフ２４が３個＋８個＋３個＋８個＝２２個、本体クォータＡ２５又は本体クォータＢ２６が合計４個である。
【０１００】
図２４に示す例では、雨水貯留浸透施設１が施工される敷地の隣地７２に、ビル７３が存在する。ビル７３等の建築物が隣接している場合、建築物の大きさに応じて、建築物の鉛直方向荷重による水平方向の分圧が、水平方向荷重７４として水槽１０に加わる。そこで、レイアウト設計装置３０は、例えば、平面レイアウトの単位ます１０１ごとに、建築物によって生じる水槽１０に加わる水平方向荷重７４を算出する。そして、レイアウト設計装置３０は、構成要素データ８０を参照し、算出される水平方向荷重７４に耐え得るユニット材の中で、部材コストが最小となるものを選定する。具体的には、レイアウト設計装置３０は、構成要素データ８０の強度８３として設定されている水平方向耐荷重の値が水平方向荷重７４よりも大きいユニット材の中で、最も単価８４が安いユニット材を選定する。尚、水平方向荷重７４の算出処理は公知の技術である為、説明を省略する。
【０１０１】
図２４に示す例では、レイアウト設計装置３０は、補強領域７６ａのユニット材については、強度区分８２が「Ｂ」のものを選定する。補強領域７６ａ以外のユニット材については、強度区分８２が「Ａ」のものを選定する。
【０１０２】
図２５は、鉛直方向荷重の一例を示す図である。図２５に示す例でも、説明を分かり易くする為に、ユニット材の数を少なくしている。
【０１０３】
図２５に示す例では、雨水貯留浸透施設１が施工される敷地の地面１２が坂になっている。地面１２が坂になっている場合、水槽１０の上部から地面１２の地表までの距離に応じて、土被りの鉛直方向荷重７５が水槽１０に加わる。そこで、レイアウト設計装置３０は、例えば、平面レイアウトの単位ます１０１ごとに、土被りの鉛直方向荷重７５を算出する。そして、レイアウト設計装置３０は、構成要素データ８０を参照し、算出される鉛直方向荷重７５に耐え得るユニット材の中で、部材コストが最小となるものを選定する。具体的には、レイアウト設計装置３０は、構成要素データ８０の強度８３として設定されている垂直方向耐荷重の値が鉛直方向荷重７５よりも大きいユニット材の中で、最も単価８４が安いユニット材を選定する。尚、鉛直方向荷重７５の算出処理は公知の技術である為、説明を省略する。
【０１０４】
図２５に示す例では、レイアウト設計装置３０は、補強領域７６ｂのユニット材については、強度区分８２が「Ｃ」のものを選定する。補強領域７６ｂ以外のユニット材については、強度区分８２が「Ａ」のものを選定する。
【０１０５】
前述の説明では、レイアウト設計装置３０は、水槽１０に加わる水平方向荷重７４及び／又は垂直方向荷重７５を計算し、所定の強度を担保できるユニット材を選定するものとしたが、本発明はこの例に限定されない。例えば、レイアウト設計装置３０は、施工に用いるユニット材の強度区分８２を固定し、施工予定の敷地環境に対して、所定の強度を担保できるかどうかを判定するようにしても良い。
【０１０６】
＜変形例３＞
次に、本発明の実施形態の変形例３について説明する。雨水貯留浸透施設１の施工作業では、現場の条件によって作業人工数が変わる。ここで、現場の条件とは、資材置き場のスペース、トラック搬送ルート、道幅、使用可能重機（ユニック車又はラフタークレーン等）、掘削孔形状、水槽形状（平面形状×高さ）等である。そこで、変形例３では、レイアウト設計装置３０は、前述の現場の条件が入力されると、掘削に必要な作業人工数や組み立てに必要な作業人工数計算しさらに、水槽組立工事期間を計算し、出力する。
【０１０７】
ここでは、資材置き場のスペース、トラック搬送ルート、道路使用可能幅などから、施工に必要な部材の運搬回数、運搬ルート、運搬距離、運搬に使用するトラックの大きさなどを決定することができる。また、また道幅、掘削孔形状、水槽形状（平面形状×高さ）等から、使用可能な重機の大きさを決定して、さらにレイアウト設計から得られたユニット材の数量などから、掘削に必要な作業人工数や組み立てに必要な作業人工数を計算し、最終的に水槽組立工事期間を計算により求めることができる。このようにして、工事のコストだけでなく、運搬コストや水槽組立工事期間も求めることができるので、工事の進捗管理などにも役立てることができる。
【０１０８】
＜変形例４＞
次に、本発明の実施形態の変形例４について説明する。雨水貯留浸透施設１の施工作業では、予備部材を確保しておく必要がある。そこで、変形例４では、レイアウト設計装置３０は、平面レイアウトの設計が終了し、構成要素ごとの必要個数や水槽組立工事期間等が決まると、現場に納入すべき予備部材の種類と数量を計算し、出力する。
【０１０９】
例えば、現在搬入する予備部材の数量は、予め設定されるものとしては、例えば、使用する部材数が数百個を超えるものは、フルサイズの本体フルのユニット材などは、全使用量の１％として、使用量が少ないハーフサイズの本体ハーフのユニット材は２％、さらに使用量の少ないクォータサイズの本体クォータのユニット材などは、２-３個用意するなど適宜決定することができる。これにより、工事中のユニット部材が破損しても工事の遅滞なく進めることができる。部材待ちによる工事の中断による人件費の無駄を省くことができ、工事のコストを抑えることができ、工事の進捗の遅れを防止することができる。
【０１１０】
以上、添付図面を参照しながら、本発明に係るレイアウト設計方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１１】
１………雨水貯留浸透施設
２………ユニット材
３………壁材
４………被覆層
５………流入ます
６………流出ます
７………点検孔
８………堆砂抑制システム
９………パーティション
１０………水槽
２１………本体フル
２２………本体３／４Ａ
２３………本体３／４Ｂ
２４………本体ハーフ
２５………本体クォータＡ
２６………本体クォータＢ
３０………レイアウト設計装置
１０１………単位ます
１０３………基本形状領域
【図１】
2012114987.tif 000003
【図２】
2012114987.tif 000004
【図３】
2012114987.tif 000005
【図４】
2012114987.tif 000006
【図５】
2012114987.tif 000007
【図６】
2012114987.tif 000008
【図７】
2012114987.tif 000009
【図８】
2012114987.tif 000010
【図９】
2012114987.tif 000011
【図１０】
2012114987.tif 000012
【図１１】
2012114987.tif 000013
【図１２】
2012114987.tif 000014
【図１３】
2012114987.tif 000015
【図１４】
2012114987.tif 000016
【図１５】
2012114987.tif 000017
【図１６】
2012114987.tif 000018
【図１７】
2012114987.tif 000019
【図１８】
2012114987.tif 000020
【図１９】
2012114987.tif 000021
【図２０】
2012114987.tif 000022
【図２１】
2012114987.tif 000023
【図２２】
2012114987.tif 000024
【図２３】
2012114987.tif 000025
【図２４】
2012114987.tif 000026
【図２５】
2012114987.tif 000027
【国際調査報告】
2012114987.tif 000028
2012114987.tif 000029